(57)【要約】【課題】遊技盤における複数の情報入出力装置、駆動源、報知機器と制御基板とを電気的に接続するために乱雑に配線され、外観上見分けのつかない複数の配線コードを束ねても、配線の状況を確実に判別する。【解決手段】１つのコネクタユニット（７２、７４、７６）に接続されるリード線７８を複数の円筒体１０２が１列に連結された結束具１００を用いて束ねるようにした。この結束具１００では、束ねるという本来の機能に加え、仕分けという機能を持っているため、乱雑に配線されているリード線７８の中から必要なリード線７８を見つけ出すことができる。すなわち、従来適用されていた結束バンドのように、束ねたはよいが、リード線７８が色分けしていないと、外観上見分けがつかないといった不具合がなく、リード線７８の色を全て同一とすることも可能となる。【選択図】        図５
2004173812.tif 000002
【特許請求の範囲】
【請求項１】
少なくとも遊技の進行に必要な情報を電気的に入力或いは出力するための情報入出力機器と、前記情報入出力手段で入力した情報に基づいて遊技の進行に直接影響を与える可動部材を動作させるための駆動源と、遊技に進行状態を少なくとも視覚、聴覚を介して遊技者へ報知する報知機器と、前記情報入出力機器、前記駆動源、前記報知機器を制御するための複数の制御基板と、で構成された遊技機に用いられ、前記複数の制御基板間、特定の制御基板と前記情報入出力機器、前記駆動源、前記報知機器のそれぞれとの間、を電気的に接続するための遊技機用配線コード結束具であって、
外観上見分けのつかない複数の電気配線コードをそれぞれ保持する保持部と、
前記複数の保持部が、予め所定の規則に従って整列するように連結する連結部と、
を有する遊技機用配線コード結束具。
【請求項２】
前記保持部が前記電気配線コードが挿入可能な貫通孔が設けられた筒体であることを特徴とする請求項１記載の遊技機用配線コード結束具。
【請求項３】
前記筒体が、それぞれ樋状の溝部が形成されて付き合わせることで筒体となり得る第１の部材と第２の部材の２部材で構成され、第１の部材同士、並びに第２の部材同士で、それぞれが前記連結手段によって隣接する第１の部材又は第２の部材同士と連結されており、第１の部材又は第２の部材の一方のそれぞれの溝部に電気配線コードを収容した状態で他方を付き合わせることで、電気配線コードを筒体単位で仕分けて結束することを特徴とする請求項２記載の遊技機用配線コード結束具。
【発明の詳細な説明】
【０００１】
【発明の属する技術分野】
本発明は、遊技機に用いられ、複数の制御基板間、特定の制御基板と前記情報入出力機器、前記駆動源、前記報知機器のそれぞれとの間、を電気的に接続するためのハネースを結束する遊技機用配線コード結束具に関するものである。
【０００２】
【従来の技術】
従来より、遊技機、特にパチンコ機において、始動入賞口（特別図柄始動入賞口）に入賞したパチンコ球を検出することで抽選がなされ、この抽選の結果、当たりとなると、大入賞口が所定期間、所定回数開放され（１回の開閉を１ラウンドとし、一般に１０〜１６ラウンド継続する。）、遊技球の入賞率を高める、遊技者に有利な状態とする機能（大当り）を持つパチンコ機がある。
【０００３】
パチンコ機には、上記始動入賞口や大入賞口等にパチンコ球が入賞したことを検出する入賞センサが設けられると共に、抽選の結果を報知するための報知機器が必要であり、さらに、遊技盤上で動作する可動部材を動作させるための駆動源、遊技者の遊技意欲を増すための電飾機器等が多数設けられている。
【０００４】
なお、上記では、パチンコ機を例にとって説明したが、パチスロ機等、他の遊技機においても、年々電気機器は増加の一途をたどっており、制御基板上のコネクタユニットもこれに比例して増加している。
【０００５】
この結果、配線コードが乱雑に配線されることになる。このため、同一のコネクタユニットから配線される配線コードを結束バンドを用いて束ねてハーネスとして構成したり、さらに複数のハーネスを束ねておくことがなされている。
【０００６】
また、特許文献１には、配線コードを１列に配列した状態で結合して平板状としたフラットケーブルを用いて、基板間等を接続する技術が開示されている。
【０００７】
【特許文献１】
特開２００１−１７０３２４公報
【０００８】
【発明が解決しようとする課題】
しかしながら、配線コードを束ねることで、例えば、メンテナンス時において、どの配線コードがどの基板等に接続されているかを判別するのに非常に手間がかかる。このため、１つのコネクタユニットに配線される配線コードを色分けしておく必要があり、色の異なる配線コードが多数必要となる。
【０００９】
また、特許文献１に記載のフラットケーブルは、配線コードが乱雑とならず、整然としているため、配線の状況が一目瞭然であるため、メンテナンス作業を軽減することができるが、上記フラケットケーブルでは、屈曲方向に制限があるため、複数のフラットケーブルが重なり合うことができず、遊技機のように遊技盤の様々な位置から特定の基板等へ配線するのには適さない。
【００１０】
本発明は上記事実を考慮し、遊技盤における複数の情報入出力装置、駆動源、報知機器と制御基板とを電気的に接続するために乱雑に配線され、外観上見分けのつかない複数の配線コードを束ねても、配線の状況を確実に判別することができる遊技機用配線コード結束具を得ることが目的である。
【００１１】
【課題を解決するための手段】
請求項１に記載の発明は、少なくとも遊技の進行に必要な情報を電気的に入力或いは出力するための情報入出力機器と、前記情報入出力手段で入力した情報に基づいて遊技の進行に直接影響を与える可動部材を動作させるための駆動源と、遊技に進行状態を少なくとも視覚、聴覚を介して遊技者へ報知する報知機器と、前記情報入出力機器、前記駆動源、前記報知機器を制御するための複数の制御基板と、で構成された遊技機に用いられ、前記複数の制御基板間、特定の制御基板と前記情報入出力機器、前記駆動源、前記報知機器のそれぞれとの間、を電気的に接続するための遊技機用配線コード結束具であって、外観上見分けのつかない複数の電気配線コードをそれぞれ保持する保持部と、前記複数の保持部が、予め所定の規則に従って整列するように連結する連結部と、を有している。
【００１２】
請求項１記載の発明によれば、複数の保持部にそれぞれ電気配線コードを保持し、この複数の保持部を連結部によって所定の規則に従って連結し、整列させているため、束ねられた電気配線コードの仕分けが容易となる。
【００１３】
例えば、連結部によって連結される保持部をコネクタ単位の複数の電気配線コード毎に行うことで、連結部によって連結された電気配線コードは、同一の部位から同一の部位までの電気的に配線されていることが一目瞭然となり、かつ整列されていることで、整列順に追っていけば目的の電気配線コードを特定することができる。従って、色分け等が不要となり、全て同一の色の電気配線コードを用いることが可能となる。
【００１４】
請求項２に記載の発明は、前記請求項１に記載の発明において、前記保持部が前記電気配線コードが挿入可能な貫通孔が設けられた筒体であることを特徴としている。
【００１５】
請求項２に記載の発明によれば、保持部は、貫通孔が設けられた筒体であり、それぞれの筒体に電気配線コードを挿入する。
【００１６】
ここで、同一のコネクタに接続された電気配線コードを束ねる場合には、必要数の保持部を予め連結しておき、電気配線コードの一端部をコネクタに接続する前に貫通孔に挿入することで、配線作業時には、コネクタの接続のみでよく、電気配線コードが乱雑に配線されたとしても、仕分けが可能である。
【００１７】
請求項３に記載の発明は、前記請求項２に記載の発明において、前記筒体が、それぞれ樋状の溝部が形成されて付き合わせることで筒体となり得る第１の部材と第２の部材の２部材で構成され、第１の部材同士、並びに第２の部材同士で、それぞれが前記連結手段によって隣接する第１の部材又は第２の部材同士と連結されており、第１の部材又は第２の部材の一方のそれぞれの溝部に電気配線コードを収容した状態で他方を付き合わせることで、電気配線コードを筒体単位で仕分けて結束することを特徴としている。
【００１８】
請求項３に記載の発明によれば、筒体を軸線方向、すなわち縦割り状態として第１の部材及び第２の部材とに分けることで、電気配線コードをコネクタに接続したあとでも、筒体への挿入状態とすることができる。
【００１９】
すなわち、第１の部材又は第２の部材の一方のそれぞれの溝部に電気配線コードを収容した状態で他方を付き合わせる。これにより、電気配線コードの一端部を挿入することなく、結束することができる。
【００２０】
【発明の実施の形態】
図１には、本発明の一実施の形態に係るパチンコ機１０が示されている。パチンコ機１０は外枠１２を備え、外枠１２の前面には、窓部を有する額縁状の内枠１４の一側部（図１の左辺部）が開閉可能に取付けられている。
【００２１】
内枠１４には、複数の表示等６２、６３やスピーカ６４、６６が設けられている。また、内枠１４の中央には、窓部となっており、この窓部には紙面奥行き方向に所定の間隔で互いに平行とされた一対のガラス１６（二重構造）が装着されたガラス枠２０が設けられている。また、内枠１４の図１の右辺部には施錠装置（シリンダ）２２が設けられている。
【００２２】
ガラス枠２０の下方位置には、球皿部２４を備えた一体皿２６が配設されている。この一体皿の球皿部２４には、貯球タンク（図示省略）と連通し、この貯球タンク内のパチンコ球を球皿部２４へ流出させる連通口２３が設けられている。
【００２３】
一体皿２６は、その一側部（図１の左辺部）が内枠１４に対して開閉可能に取付けられている。一体皿２６の前面には、左側下部に灰皿２８が配置され、右側下部には発射装置１６４（図３参照）から発射する打球の飛距離を調整するための発射ハンドル３０が設けられている。
【００２４】
また内枠１４の窓部には、遊技盤載置台に載せて交換可能とされた遊技盤３２が窓部に対応して設置されている。
【００２５】
図２に示される如く、遊技盤３２は、外バンド３６及び内バンド３８によって囲まれた略円形状の遊技領域４０が形成されている。
【００２６】
遊技領域４０には、図示しない釘や風車の他、センター役物４２、当該センター役物４２に設けられた特別図柄表示装置４３、並びに大入賞口（変動入賞装置）４４等の役物、始動口４６や通過装置４８、入賞装置４９等の遊技部品が取り付けられており、最下位置にアウト口５４が配置されている。
【００２７】
図３には、パチンコ機１０を制御するための制御系の概略が示されている。制御系は、主制御基板１５０を中心として、払出制御基板１５２、音声制御基板１５４、ランプ制御基板１５６、発射制御基板１５８、図柄表示制御基板１６０等、機能毎に分類されている（なお、以下これらを総称する場合、副制御基板１５１という）。
【００２８】
なお、主制御基板１５０並びに副制御基板１５１は、管理制御基板２０６を介してパチンコ店側のホールコンピュータ２０８に接続することにより、パチンコ機の稼動状況を管理することも可能となっている。
【００２９】
主制御基板１５０には、遊技に関する基本的なプログラムが記憶されており、この主制御基板１５０からの命令信号に基づいて、その他の副制御基板１５１が独自に実行する。
【００３０】
払出制御基板１５２は、払出賞球装置１６２を制御して、球貸し時の払出し、入賞時の賞球に応じてパチンコ球を払い出すものであり、音声制御基板１５４は、パチンコ機１０に設けられたスピーカ６４、６６からの効果音等の出力を制御する。また、ランプ制御基板１５６は、パチンコ機１０に取り付けられた複数の表示灯６２、６３の点灯・消灯を制御し、発射制御基板１５８は、発射装置１６４を制御して、遊技者によるハンドル３０の操作に応じてパチンコ球を打ち出す。
【００３１】
図柄表示制御基板１６０は、前記特別図柄表示装置４３と接続されており、主制御基板１５０からの命令信号に基づいて、所定の演出効果をもたらす表示を実行する。
【００３２】
前記主制御基板１５０には、始動口４６に設けられた始動入賞センサ１６８、通過装置４８、入賞装置４９に入賞したパチンコ球を検出する入賞センサ１７１、１７２、並びに大入賞口４４に入賞したパチンコ球を検出する大入賞口センサ１７３が接続されている。なお、大入賞口４４には、大入賞口の開閉動作を継続するためのＶゾーンが設けられており、このＶゾーンにもＶゾーンセンサ１７７が設けられており、主制御基板１５０に接続されている。
【００３３】
また、この主制御基板１５０には、始動口４６に設けられた電動チューリップ４７を開閉させるためのソレノイド１７４、大入賞口４４を開閉させるためのソレノイド１７５が接続されている。
【００３４】
また、主制御基板１５０では、特別図柄や普通図柄の当／外抽選がなされ、この抽選結果に基づく特別図柄表示装置４３での表示内容を選択し、図柄表示制御基板１６０へ命令信号を出力する。すなわち、図柄表示制御基板１６０には、複数種の命令信号に基づく異なる表示内容のデータが予め記憶されており、命令信号に基づいてデータが選択されて、起動するようになっている。
【００３５】
なお、図示は省略したが、遊技盤３２に設けられる普通図柄表示装置や保留ランプ等も主制御基板１５０によって制御されるようになっている。
【００３６】
上記の如く、本実施の形態のパチンコ機１０では、複数の制御基板（主制御基板１５０、副制御基板１５１）に対して、遊技盤面等に設けられた電気部品（電気機器）からの配線が張り巡らされ、かつ基板同士も電気的配線によって接続されている。
【００３７】
図４には、副制御基板１５１の一部を構成する基板７０上に複数の配線が接続されている状態が示されており、この基板７０には、３種類のコネクタユニット７２、７４、７６を介して、それぞれ別の基板や電気部品等からの配線が接続されている。
【００３８】
図４に示される如く、基板７０は、略Ｔ字型であり、幅広部には、最も大型のコネクタユニット７２のコネクタ部７２Ａが基板７０上のパターン（図示省略）に予め半田付けされており、電気配線コードとしてのリード線７８が一列に配列された状態でハウジング部７２Ｂに取り付けられている。
【００３９】
また、基板７０における幅狭部の両端部には、中型のコネクタユニット７４のコネクタ部７４Ａと、小型のコネクタユニット７６のコネクタ部７６Ａとが混在して取り付けられている。
【００４０】
ここで、上記のように複数のコネクタユニット７２、７４、７６が接近して配置されていると、それぞれ複数のリード線７８が、乱雑に配置される。そこで、本実施の形態では、コネクタユニット単位で複数のリード線７８を、図５に示す結束具１００によって束ねるようにしている。
【００４１】
以下、図５に従い、大型のコネククタユニット７２に接続されたリード線の結束状態を例にとり、結束具１００の構造を説明する。
【００４２】
図５に示される如く、結束具１００は、複数（図５では９個）の円筒体１０２が軸直角方向に連結された構造となっており、この連結は図５では、成形時に一体成形した構造を示している。
【００４３】
なお、連結の手段としては、図６に示すように、円筒体１０２の両サイド（互いに１８０°の関係の位置）の外周面に断面が所定の外径の円弧面をもつボス部１０２Ａと、ボス部１０２Ａと嵌合可能な所定の内径の円弧面をもつ略Ｃ字型の嵌合部１０２Ｂとを形成しておく構造が挙げられる。
【００４４】
ここで、図６（Ａ）の状態から、図６（Ｂ）に示される如く、ボス部１０２Ａを嵌合部１０２Ｂの開口に突き当てて押圧する。これにより、嵌合部１０２Ｂが弾性変形してボス部１０２Ａが入り込み、連結することができる（図６（Ｃ）参照）。
【００４５】
結束具１００は、上記一体成形の連結、或いは連結手段による連結であっても、円筒体１０２の軸芯を結ぶ線が直線となるように連結されている。
【００４６】
リード線７８は、配線作業前にその両端部にハウジング部７２Ｂ（図４参照）の端子に接続されたり、一端部が電気部品に直接接続されている場合には、他端部にハウジング部７２Ｂの端子に接続されるが、本実施の形態では、リード線７８の一端部がフリーの状態（何も接続されていない状態）のときに、このリード線７８のフリーの状態となっている端部を円筒体１０２に挿通するようにしている。
【００４７】
ここで、ハウジング部７２Ｂの端子には、基準端子（１番端子）が存在しており、この基準端子に接続されるリード線７８のみ予め定められた色（例えば茶色）が適用され、それ以外のリード線７８は同一色（例えば灰色）となっている。
【００４８】
これに対して、結束具１００には、円筒体１０２の外周に刻印１０４が付与されている。本実施の形態では、刻印１０４は両サイドの円筒体１０２のみであり（図５（Ａ）に示す数字の「１」と「９」という刻印１０４）、基準端子は「１」という刻印１０４が付与された円筒体１０２に挿通され、ハウジング部７２Ｂへの接続順序と一致する順序で円筒体１０２のそれぞれに挿通されるようになっている。
【００４９】
すなわち、結束具１００によって一列に整然と配列されるため、色分け等による外観上、見分けることができるようにする必要がなく、連結された複数の円筒体１０２における「１」という刻印１０４が基準となり、必要とするリード線７８を選別することができる。
【００５０】
以下に本実施の形態の作用を説明する。
【００５１】
（通常の遊技の流れ）
遊技者がハンドル３０を把持し、発射のための操作を行なうと、このハンドル操作量（回転量）に応じた強度で、パチンコ球が打ち出される。
【００５２】
パチンコ球が打ち出されると、外バンド３６及び内バンド３８に案内されて盤面３２の釘や風車等に当接しながら、予測し得ない移動をしながら落下していく。ここで、始動口４６にパチンコ球が入賞すると、乱数カウンタを用いて所定の確率下で大当り抽選が開始される。この大当り抽選の結果、当り／外れが決定すると、それぞれにおいて、予め準備された図柄変動パターン（図柄変動パターン）を選択（乱数カウンタで選択してもよい）し、特別図柄表示装置４３に図柄変動パターンを表示する。この図柄変動パターンにおいては、リーチを経由した当り、外れリーチ、リーチを経由しない外れ等、様々な演出があり、遊技者は期待感をもって抽選結果を待つことができる。
【００５３】
すなわち、当り時の図柄変動制御が終了すると、予め設定したラウンド数（例えば、１５ラウンド）の大当たり処理が実行される。この大当たり処理中は、大入賞口４４がほとんど開放状態であるため、遊技者によって有利な状態とすることができる。所定ラウンドの大当たり処理が終了すると、通常の遊技に戻る。
【００５４】
上記のように遊技を進行させるためには、複数の電気機器、電気部品が主制御基板１５０や副制御基板１５１によって制御されている。このため、主制御基板１５０や副制御基板１５１には、多数のリード線７８がコネクタユニットを介して接続されている。
【００５５】
このようなリード線７８は、遊技盤３２上の各部位から所定の基板へは配線されるため、遊技盤３２の裏面側はリード線７８が乱雑に配置される。
【００５６】
ここで、特定の電気部品に対してメンテナンス作業が必要場合、上記乱雑に配線されたリード線７８をたどって、接続状態を確認したり、交換したりするが、従来は、外観上見分けがつくように、１つのコネクタユニットに接続するリード線７８を色分けしていた。このため、複数色のリード線が必要となっていた。
【００５７】
そこで、本実施の形態では、結束具１００を用いてコネクタユニット単位でリード線７８を結束した。
【００５８】
結束具１００は、複数の円筒体１０２が軸直角方向に１列に連結され、それぞれの円筒体１０２に対してリード線７８が１本ずつ挿入されているため、リード線７８を整然と配列させることができる。
【００５９】
このような結束具１００の取り付け手順は以下のとおりである。なお、図４に示すコネクタユニット７２のハウジング部７２Ｂに接続されているリード線７８を例にとり説明する。
【００６０】
▲１▼  まず、ハウジング部７２Ｂの基準端子に接続することを示す特定色（ここでは茶色）のリード線と、その他必要数のリード線７８を同一色（ここでは、灰色）で準備する。
【００６１】
▲２▼  全てのリード線７８の一端部がフリーの状態のとき、このフリーの状態のリード線を結束具１００の各円筒体１０２に挿通する。
【００６２】
▲３▼  このとき、基準端子に接続された茶色のリード線７８を「１」という刻印１０４が付与された円筒体１０２に挿通し、ハウジング部７２Ｂの端子への接続順序と同一の順序でその他のリード線７８を円筒体１０２に挿通させる。
【００６３】
▲４▼  全てのリード線７８をハウジング部７２Ｂに接続する。このとき、基準端子には茶色のリード線７８が接続される。
【００６４】
以上のような手順で構成されたハーネスを基板７０等に予め取り付けられたコネクタ部７２Ａに接続することで、電気配線が完了する。
【００６５】
電気配線が完了した後、結束具１００によってリード線７８は、コネクタユニット単位で整然と配列されているため、特定のリード線７８を見分ける際の基準となり、メンテナンス作業性を向上することができる。
【００６６】
また、円筒体１０２には、刻印１０４が付与されているため、この刻印１０４によって、リード線７８の接続順序も認識でき、リード線７８の色を変える必要がなく、単一の色のリード線７８を多数用いることができる。
【００６７】
さらに、本実施の形態では、基準端子に接続するリード線７８のみ、他のすべてのリード線７８の色（灰色）とは異なる特定の色（茶色）としたため、さらに見極めが容易となる。
【００６８】
以上説明したように本実施の形態では、１つのコネクタユニット（７２、７４、７６）に接続されるリード線７８を複数の円筒体１０２が１列に連結された結束具１００を用いて束ねるようにした。この結束具１００では、束ねるという本来の機能に加え、仕分けという機能を持っているため、乱雑に配線されているリード線７８の中から必要なリード線７８を見つけ出すことができる。すなわち、従来適用されていた結束バンドのように、束ねたはよいが、リード線７８が色分けしていないと、外観上見分けがつかないといった不具合がなく、リード線７８の色を全て同一とすることも可能となる。
【００６９】
但し、ハウジング部（７２Ｂ等）を介してコネクタ部（７２Ａ等）の基準端子に接続されるリード線７８のみ異なる色することで、識別性を向上させることができる。
【００７０】
（変形例）
なお、本実施の形態では、円筒体１０２を、それぞれの軸芯を結ぶ線が直線となるように連結したが、図７に示される如く、それぞれの軸芯を結ぶ線が円となる円形結束具１０６を用いてもよい（変形例１）。
【００７１】
また、本実施の形態では、１つのハーネスに対して１つの結束具１００を取り付けるようにしたが、リード線７８が長い場合には、複数の結束具１００を取り付けてもよい。この複数の結束具１００を同一のリード線７８の束に取り付ける場合、ばらばらの結束具１００を用いて取り付けてもよいが、図８に示される如く、必要数（図８では２個）の結束具１００を軸線方向に仮止め部１０８によって仮止め状態で連結しておき、リード線７８の挿通が完了した時点で、この仮止め部１０８を切除して、分離し、リード線７８に沿ってそれぞれの結束具１００をスライドして、所定の位置に配置するようにしてもよい（変形例２）。
【００７２】
さらに、本実施の形態では、予め成形によって円筒体１０２を形成したが、図９に示される如く、半円状の複数の溝部１１０が軸直角方向に連結された一対の部材（第１の部材１１２、第２の部材１１４）で構成してもよい（変形例３）。なお、第１の部材１１２と第２の部材１１４とはヒンジ部１１６によって連結されていることが好ましい。
【００７３】
この第１の部材１１２と第２の部材１１４とは、付き合わせることで、複数の円筒体１０２（図９（Ｃ）参照）が形成される構造となっている。
【００７４】
すなわち、第１の部材１１２又は第２の部材１１４の一方にリード線７８の中間部を載置した後（図９（Ａ）参照）、第１の部材１１２又は第２の部材１１４の他方を回動させ（図９（Ｂ）参照）、互いに付き合わせることで、リード線７８を円筒体１０２のそれぞれに配置して結束することができる（図９（Ｃ）参照）。
【００７５】
なお、本実施の形態では、コネクタユニット７２のハウジング部７２Ｂに接続されたリード線７８を例にとり結束具１００（或いは１０６）によって外観上見分け可能に結束したが、他のリード線７８においても同様の結束具１００（又は１０６）を適用してもよい。また、複数のハウジング部からのリード線を１つの結束具１００（又は１０６）に結束するようにしてもよい。
【００７６】
【発明の効果】
以上説明した如く本発明では、遊技盤における複数の情報入出力装置、駆動源、報知機器と制御基板とを電気的に接続するために乱雑に配線され、外観上見分けのつかない複数の配線コードを束ねても、配線の状況を確実に判別することができるという優れた効果を有する。
【図面の簡単な説明】
【図１】本実施の形態に係るパチンコ機の正面図である。
【図２】本実施の形態に係る遊技盤の正面図である。
【図３】本実施の形態に係るパチンコ機における制御系のブロック図である。
【図４】基板上に設けられたコネクタユニットから配線されるリード線の状態を示す斜視図である。
【図５】（Ａ）は本実施の形態に係る結束具の斜視図、（Ｂ）は本実施の形態に係る結束具の正面図、（Ｃ）は本実施の形態に係る結束具の平面図である。
【図６】図５とは異なる円筒体の連結手段の一例を示す連結手順の流れ図である。
【図７】（Ａ）は変形例１に係る結束具の正面図、（Ｂ）変形例１に係る側面図、（Ｃ）は変形例１に係る結束具の斜視図である。
【図８】変形例２に係り、２連の結束具が仮止めされた状態を示す斜視図である。
【図９】変形例３に係る結束具を示し、組付け手順の流れ図である。
【符号の説明】
１０    パチンコ機
３２    遊技盤
４３    特別図柄表示装置（報知機器）
６２、６３    表示灯（入出力機器）
６４、６６    スピーカ（入出力機器）
７０    基板
７２    大型のコネクタユニット
７４    中型のコネクタユニット
７２Ａ    コネクタ部
７２Ｂ    ハウジング部
７８    リード線
１００    結束具（本実施の形態）
１０２    円筒体（保持部、筒体）
１０４    刻印
１０６    結束具（変形例１）
１０８    仮止め部
１１２    第１の部材（保持部）
１１４    第２の部材（保持部）
１５０    主制御基板（制御基板）
１５１    副制御基板（制御基板）
１６２    払出賞球装置（駆動源）
１６４    発射装置（駆動源）
１６８    始動入賞センサ（入出力機器）
１７１、１７２    入賞センサ（入出力機器）
１７３    大入賞口センサ（入出力機器）
１７７    Ｖゾーンセンサ（入出力機器）
１７４    ソレノイド（駆動源）
１７５    ソレノイド（駆動源）
【図１】
2004173812.tif 000003
【図２】
2004173812.tif 000004
【図３】
2004173812.tif 000005
【図４】
2004173812.tif 000006
【図５】
2004173812.tif 000007
【図６】
2004173812.tif 000008
【図７】
2004173812.tif 000009
【図８】
2004173812.tif 000010
【図９】
2004173812.tif 000011